(57)【要約】【課題】  本発明は、手指若しくは手指を動かす神経系統に障害を有する人や箸を正しく使う習慣のない外国人などが、閉じている箸の開き操作をする時に力を入れるだけで容易に食事をすることができる箸補助具を提供することを目的とする。【解決手段】  本発明の箸補助具１は、合成樹脂から一体成形され、箸Ａの先端を閉じたＶ字状に箸Ａを保持する上下２個の箸保持部材２と、該箸保持部材２に両端を連結され、前記箸保持部材２同士の間隔を常時Ｖ字状に広げる方向に付勢する開脚バネ３と、該開脚バネ３より前記箸保持部材２の箸Ａ先端側に両端を連結され、箸Ａの先端を閉じた状態又は少し開いた状態に箸Ａを保持する方向に付勢された閉脚バネ４とから構成される。【選択図】  図２
2007007303.tif 000002
【特許請求の範囲】
【請求項１】
合成樹脂から一体成形され、箸の先端を閉じたＶ字状に箸を保持する上下２個の箸保持部材と、該箸保持部材に両端を連結され、前記箸保持部材同士の間隔を常時Ｖ字状に広げる方向に付勢する開脚バネと、該開脚バネより前記箸保持部材の箸先端側に両端を連結され、箸の先端を閉じた状態又は少し開いた状態に箸を保持するように付勢された閉脚バネとから構成されることを特徴とする箸補助具。
【請求項２】
前記箸保持部材は、長手方向に沿って箸Ａを嵌合保持する箸嵌合部を備え、該箸嵌合部は貫通穴又は断面Ω状溝或いはこれらの組合せからなることを特徴とする請求項１記載の箸補助具。
【請求項３】
前記開脚バネは、両端をそれぞれ反対方向に折り曲げた略Ｓ字状に形成し、下方の箸保持部材の先端側に一端を固定し、上方の箸保持部材の後端側に他端を固定して常時Ｖ字状に広げる方向に前記箸保持部材を付勢することを特徴とする請求項１記載の箸補助具。
【請求項４】
前記閉脚バネは、中央を略⊂状又は略⊃状に折り曲げて両端をそれぞれ前記箸保持部材に固定し、前記開脚バネに反発して開脚バネの付勢力を弱め、箸Ａの先端を閉じた状態又は少し開いた状態に箸Ａを保持するように付勢することを特徴とする請求項１記載の箸補助具。
【発明の詳細な説明】
【技術分野】
【０００１】
本発明は、手指若しくは手指を動かす神経系統に障害を有する人や箸を正しく使う習慣のない外国人などが食事をする際に、箸操作を容易にするための箸補助具に関する。
【背景技術】
【０００２】
従来、手指若しくは手指を動かす神経系統に障害を有する人や箸を正しく使う習慣のない外国人などのために、箸の操作を容易にする箸支持具が開発されている。
しかし、この箸支持具は、２本の箸を把持して、帯状バネの付勢力に抗して箸の間隔を狭めると共に、手指の力を抜いて前記付勢力により箸の間隔を広げるものであった（特許文献１を参照）。
したがって、物を掴む時は手指に力を入れ続けなければならず、力を抜くと箸の間隔が広がって物を落としてしまう欠点があった。
【特許文献１】実公平５−２２１４１号公報
【発明の開示】
【発明が解決しようとする課題】
【０００３】
本発明は、手指若しくは手指を動かす神経系統に障害を有する人や箸を正しく使う習慣のない外国人などが、閉じている箸の開き操作をする時に力を入れるだけで容易に食事をすることができる箸補助具を提供することを目的とする。
【課題を解決するための手段】
【０００４】
本発明の箸補助具は、合成樹脂から一体成形され、箸の先端を閉じたＶ字状に箸を保持する上下２個の箸保持部材と、該箸保持部材に両端を連結され、前記箸保持部材同士の間隔を常時Ｖ字状に広げる方向に付勢する開脚バネと、該開脚バネより前記箸保持部材の箸先端側に両端を連結され、箸の先端を閉じた状態又は少し開いた状態に箸を保持する方向に付勢された閉脚バネとから構成される。
前記箸保持部材は、長手方向に沿って箸Ａを嵌合保持する箸嵌合部を備え、該箸嵌合部は貫通穴又は断面Ω状溝或いはこれらの組合せからなるものである。
前記開脚バネは、両端をそれぞれ反対方向に折り曲げた略Ｓ字状に形成し、下方の箸保持部材の先端側に一端を固定し、上方の箸保持部材の後端側に他端を固定して常時Ｖ字状に広げる方向に前記箸保持部材を付勢するものである。
前記閉脚バネは、中央を略⊂状又は略⊃状に折り曲げて両端をそれぞれ前記箸保持部材に固定し、前記開脚バネに反発して開脚バネの付勢力を弱め、箸Ａの先端を閉じた状態又は少し開いた状態に箸Ａを保持するように付勢するものである。
【発明の効果】
【０００５】
本発明の箸補助具は、箸を開く時にだけ、上側の箸を押し下げるように力を加えるだけであり、常時は箸を閉じて入るので、物を掴んでいる途中で箸が開くことがなく、手指若しくは手指を動かす神経系統に障害を有する人や箸を正しく使う習慣のない外国人などが安心して使用することができる。
【発明を実施するための最良の形態】
【０００６】
本発明の箸補助具の一実施例を図面に基づいて、以下に説明する。
図１に示すように、本発明の箸補助具１は、合成樹脂から一体成形され、箸Ａの先端を閉じたＶ字状に箸Ａを保持する上下２個の箸保持部材２と、該箸保持部材２に両端を連結され、前記箸保持部材２同士の間隔を常時Ｖ字状に広げる方向に付勢する開脚バネ３と、該開脚バネ３より前記箸保持部材２の箸Ａ先端側に両端を連結され、箸Ａの先端を閉じた状態又は少し開いた状態に箸Ａを保持する方向に付勢された閉脚バネ４とから構成される。
前記箸保持部材２は、長手方向に沿って箸Ａを嵌合保持する箸嵌合部５を備え、該箸嵌合部５はどのような箸、例えば丸箸、角箸、割箸、太い箸、細い箸でも取付け可能な貫通穴又は断面Ω状溝或いはこれらの組合せであってもよい。
前記開脚バネ３は、両端をそれぞれ反対方向に折り曲げた略Ｓ字状に形成し、下方の箸保持部材２の先端側に一端を固定し、上方の箸保持部材２の後端側に他端を固定して常時Ｖ字状に広げる方向に前記箸保持部材２を付勢する。
前記閉脚バネ４は、中央を略⊂状又は略⊃状に折り曲げて両端をそれぞれ前記箸保持部材２に固定し、前記開脚バネ３に反発して開脚バネ３の付勢力を弱め、箸Ａの先端を閉じた状態又は少し開いた状態、例えば先端を５〜１０ｍｍ程度に開いた状態に箸Ａを保持するように付勢する。
【０００７】
次に、本発明の箸補助具の操作動作を図面に基づいて、以下に説明する。
始めに、箸Ａをそれぞれ箸保持部材２の箸嵌合部５に保持させ、箸Ａの先端が接触するようにＶ字状に箸Ａを保持させる。
そして、図２に示すように、通常の箸使いのように親指、人差し指、薬指の３本で上側の箸Ａを掴み、中指の上側、親指付け根に掛かるように下側の箸Ａを支持する。
本発明の箸補助具は、箸Ａを逆向き方向にさせることにより右利き又は左利きの両方で使用可能である。
箸Ａの開閉動作は、上側の箸Ａを掴んでいる親指、人差し指、薬指の３本で行い、下側の箸Ａは殆ど動かさない。
【０００８】
箸Ａで物を掴む際には、上側の箸Ａを押し下げると開脚バネ３がＳ字状にさらに撓み、閉脚バネ４が広がって箸Ａの先端が開く。
そして、開いた箸Ａの先端で物を挟み、上側の箸Ａの押し下げ力を緩めると、閉脚バネ４が縮んで箸Ａの先端が閉じるので、この閉じる力により物を掴むことができる。
また、箸Ａで掴んだ物を食べる際には、先程と同様に上側の箸Ａを押し下げると、箸Ａの先端が開くので簡単に食べることができる。
本発明の箸補助具のセッティングを手前、後部にすることにより手の大きさに関係なく、誰でもが使用可能である。
【図面の簡単な説明】
【０００９】
【図１】本発明の箸補助具の斜視図である。
【図２】本発明の箸補助具の使用状態を示す斜視図である。
【符号の説明】
【００１０】
１  箸補助具
２  箸保持部材
３  開脚バネ
４  閉脚バネ
５  箸嵌合部
【図１】
2007007303.tif 000003
【図２】
2007007303.tif 000004